(57)【要約】      （修正有）【課題】物理的な設備なしで、同じ空間で複数のユーザが就寝していても複数のユーザのうちの特定のユーザ向けの照明などの刺激の制御による入眠又は起床の促進効果の低下を抑制することができる情報処理方法、情報処理プログラム及び情報処理システムを提供する。【解決手段】情報処理方法は、サーバ装置５が、第１ユーザの入眠又は起床の促進のために、１つ以上の装置が第１ユーザに与える刺激を制御するための刺激制御パターンを取得し１０１、第１ユーザと同じ空間に存在する第２ユーザの睡眠状態を取得し、第２ユーザの睡眠状態に基づいて取得した刺激制御パターンを調整し１０３、調整した刺激制御パターンで１つ以上の装置の動作を制御する１０４。【選択図】図２
2020116304.tif 000002
【特許請求の範囲】
【請求項１】
コンピュータが、
第１ユーザの入眠又は起床の促進のために、１つ以上の装置が前記第１ユーザに与える刺激を制御するための刺激制御パターンを取得し、
前記第１ユーザと同じ空間に存在する第２ユーザの睡眠状態を取得し、
前記第２ユーザの前記睡眠状態に基づいて前記取得した刺激制御パターンを調整し、
前記調整した刺激制御パターンで前記１つ以上の装置の動作を制御する、
情報処理方法。
【請求項２】
前記刺激制御パターンの調整は、前記睡眠状態が基準よりも浅い場合に前記第１ユーザに与えられる刺激が、前記睡眠状態が前記基準よりも深い場合に前記第１ユーザに与えられる刺激よりも弱くなるように前記取得した刺激制御パターンを調整する、
請求項１記載の情報処理方法。
【請求項３】
前記刺激制御パターンの調整は、前記取得した刺激制御パターンより前記刺激が弱くなるように前記取得した刺激制御パターンを調整する、
請求項２記載の情報処理方法。
【請求項４】
前記刺激制御パターンの調整は、前記睡眠状態が基準よりも深い場合、前記取得した刺激制御パターンにおける前記刺激を強くするタイミングが早くなるように前記取得した刺激制御パターンを調整する、
請求項１〜３のいずれか１項に記載の情報処理方法。
【請求項５】
前記刺激制御パターンの調整は、前記取得した刺激制御パターンにおける出力設定範囲を調整する、
請求項１〜４のいずれか１項に記載の情報処理方法。
【請求項６】
さらに、前記第１ユーザの第１起床予定時刻と、前記第２ユーザの第２起床予定時刻とを取得し、
前記刺激制御パターンの調整は、前記第１起床予定時刻と前記第２起床予定時刻との差に基づいて、前記出力設定範囲内で前記取得した刺激制御パターンの出力を調整する、
請求項５記載の情報処理方法。
【請求項７】
さらに、前記第１ユーザ及び前記第２ユーザの少なくとも一方の属性又は好みを取得し、
前記刺激制御パターンの調整は、前記取得した属性又は好みに基づいて、前記出力設定範囲内で前記取得した刺激制御パターンの出力を調整する、
請求項５記載の情報処理方法。
【請求項８】
さらに、前記第１ユーザ及び前記第２ユーザのいずれを優先するかを示す優先度情報を取得し、
前記刺激制御パターンの調整は、前記取得した優先度情報に基づいて、前記出力設定範囲内で前記取得した刺激制御パターンの出力を調整する、
請求項５記載の情報処理方法。
【請求項９】
さらに、前記第２ユーザの姿勢を取得し、
前記刺激制御パターンの調整は、前記取得した姿勢に基づいて、前記出力設定範囲内で前記取得した刺激制御パターンの出力を調整する、
請求項５記載の情報処理方法。
【請求項１０】
前記１つ以上の装置は、前記第１ユーザに対応付けられた第１装置と、前記第２ユーザに対応付けられた第２装置とを含み、
前記動作の制御は、前記調整した刺激制御パターンで前記第１装置の動作を制御する、
請求項１〜９のいずれか１項に記載の情報処理方法。
【請求項１１】
前記１つ以上の装置は、前記空間を照明する照明装置、前記空間に音を出力する音出力装置、前記空間に芳香剤を散布する芳香散布装置及び前記空間に風を出力する風出力装置の少なくとも１つを含む、
請求項１〜１０のいずれか１項に記載の情報処理方法。
【請求項１２】
第１ユーザの入眠又は起床の促進のために、１つ以上の装置が前記第１ユーザに与える刺激を制御するための刺激制御パターンを取得し、
前記第１ユーザと同じ空間に存在する第２ユーザの睡眠状態を取得し、
前記第２ユーザの前記睡眠状態に基づいて前記取得した刺激制御パターンを調整し、
前記調整した刺激制御パターンで前記１つ以上の装置の動作を制御するようにコンピュータを機能させる情報処理プログラム。
【請求項１３】
第１ユーザの入眠又は起床の促進のために、１つ以上の装置が前記第１ユーザに与える刺激を制御するための刺激制御パターンを取得する刺激制御パターン取得部と、
前記第１ユーザと同じ空間に存在する第２ユーザの睡眠状態を取得する睡眠状態取得と、
前記第２ユーザの前記睡眠状態に基づいて前記取得した刺激制御パターンを調整する調整部と、
前記調整した刺激制御パターンで前記１つ以上の装置の動作を制御する制御部と、
を備える情報処理システム。
【発明の詳細な説明】
【技術分野】
【０００１】
本開示は、ユーザの入眠又は起床のために刺激を制御する１つ以上の装置の動作を制御する情報処理方法、情報処理プログラム及び情報処理システムに関するものである。
【背景技術】
【０００２】
昨今、夫婦が就寝する主寝室において、夫婦が共用する１つの照明装置ではなく、夫婦それぞれが個別に利用する２つの照明装置が配置される住宅が増えつつあり、今後普及の兆しがある。そのような状況において、睡眠時の快眠を促す機器制御システムでは、２つの照明装置に対して夫婦それぞれで異なる照明制御が行われた場合、互いの睡眠を妨害してしまうおそれがある。
【０００３】
そこで、このような課題に対して、他の寝床のヘッドボードに設けられた目覚め準備用照明群からの光を遮蔽するナイトテーブルを、隣設される寝床の間に設けた寝室照明システムが提案されている（例えば、特許文献１参照）。これにより、夫婦それぞれのプライベート空間が確保され、夫婦それぞれに応じた照明制御が行われた場合であっても、互いの睡眠が妨害されることはない。
【０００４】
また、寝室へ向かう一の人物が検知され、かつ、他の人物が寝室で就寝している場合に、寝室に設けられたフットライト及び寝室の手前のホールに設けられたフットライトを点灯する照明装置が提案されている（例えば、特許文献２参照）。これにより、一の人物が寝室へ向かう経路が明示されると共に、寝室に入るときに、他の人物の睡眠を妨げてしまうのを防止することができる。また、特許文献２の照明装置は、一の人物が起床した際に他の人物が就寝している場合に、フットライトのみを点灯する。これにより、睡眠中の他の人物は睡眠が妨げられることがなく、快適な睡眠を継続することができる。さらに、特許文献２の照明装置は、一の人物が起床した後、他の人物が起床した場合に、刺激を与える明るさとなるように照明器具を点灯する。これにより、他の人物に快適な目覚め感を与えることができる。
【先行技術文献】
【特許文献】
【０００５】
【特許文献１】特許第５２６０９９７号明細書
【特許文献２】特開２０１８−６０８７号公報
【発明の概要】
【発明が解決しようとする課題】
【０００６】
しかしながら、上記従来の技術では、物理的な設備が必要となったり、同じ空間で就寝する複数のユーザのうちの特定のユーザ向けの照明などの刺激の制御による入眠又は起床の促進効果が低下したりするおそれがあった。
【０００７】
本開示は、上記の問題を解決するためになされたもので、物理的な設備なしで、同じ空間で複数のユーザが就寝していても当該複数のユーザのうちの特定のユーザ向けの照明などの刺激の制御による入眠又は起床の促進効果の低下を抑制することができる情報処理方法、情報処理プログラム及び情報処理システムを提供することを目的とするものである。
【課題を解決するための手段】
【０００８】
本開示に係る情報処理方法は、コンピュータが、第１ユーザの入眠又は起床の促進のために、１つ以上の装置が前記第１ユーザに与える刺激を制御するための刺激制御パターンを取得し、前記第１ユーザと同じ空間に存在する第２ユーザの睡眠状態を取得し、前記第２ユーザの前記睡眠状態に基づいて前記取得した刺激制御パターンを調整し、前記調整した刺激制御パターンで前記１つ以上の装置の動作を制御する。
【発明の効果】
【０００９】
本開示によれば、物理的な設備なしで、同じ空間で複数のユーザが就寝していても当該複数のユーザのうちの特定のユーザ向けの照明などの刺激の制御による入眠又は起床の促進効果の低下を抑制することができる。
【図面の簡単な説明】
【００１０】
【図１】本開示の実施の形態１における機器制御システムの全体構成を示す図である。
【図２】本開示の実施の形態１におけるサーバ装置の構成を示す図である。
【図３】本開示の実施の形態１において、先に起床する第１ユーザに与える刺激を制御するための刺激制御パターンの一例を示す図である。
【図４】本開示の実施の形態１における到達照度範囲記憶部が記憶するテーブルの一例を示す図である。
【図５】本開示の実施の形態１において、第１ユーザ及び第２ユーザに個別に照明する際に到達照度範囲記憶部が記憶するテーブルの一例を示す図ある。
【図６】本開示の実施の形態１において、第１ユーザの目元及び第２ユーザの目元に個別に照明する際に到達照度範囲記憶部が記憶するテーブルの一例を示す図ある。
【図７】本開示の実施の形態１におけるサーバ装置の動作を説明するためのフローチャートである。
【図８】本開示の実施の形態１において、先に起床する第１ユーザに与える刺激を制御するための刺激制御パターンの他の例を示す図である。
【図９】本開示の実施の形態２におけるサーバ装置の構成を示す図である。
【図１０】本開示の実施の形態２の第１携帯端末において、第１ユーザを優先する際に表示される優先度入力画面の一例を示す図である。
【図１１】本開示の実施の形態２の第１携帯端末において、第２ユーザを優先する際に表示される優先度入力画面の一例を示す図である。
【図１２】本開示の実施の形態２におけるサーバ装置の動作を説明するための第１のフローチャートである。
【図１３】本開示の実施の形態２におけるサーバ装置の動作を説明するための第２のフローチャートである。
【図１４】本開示の実施の形態１及び実施の形態２の第１携帯端末において、第１ユーザの起床時の照度の好みの入力を受け付けるための照度入力画面の一例を示す図である。
【図１５】本開示の実施の形態１及び実施の形態２の変形例において、後から入眠する第１ユーザに与える刺激を制御するための刺激制御パターンの一例を示す図である。
【発明を実施するための形態】
【００１１】
（本開示の基礎となった知見）
上記の特許文献１の寝室照明システムは、他の寝床のヘッドボードに設けられた目覚め準備用照明群からの光を遮蔽するナイトテーブルを、隣設される寝床の間に設けている。
【００１２】
そのため、上記特許文献１の寝室照明システムでは、隣設される寝床間に光を遮蔽するためのナイトテーブルを設置する必要があり、コストアップにつながるおそれがある。
【００１３】
また、上記の特許文献２の照明装置は、一の人物が起床した際に他の人物が就寝している場合に、フットライトのみを点灯する。さらに、特許文献２の照明装置は、一の人物が起床した後、他の人物が起床した場合に、刺激を与える明るさとなるように照明器具を点灯する。
【００１４】
そのため、上記特許文献２の照明装置では、一の人物よりも後に起床する他の人物は快適な目覚めを得ることができるが、他の人物よりも先に起床する一の人物は、快適な目覚めを得ることができない。
【００１５】
以上の課題を解決するために、本開示の一態様に係る情報処理方法は、コンピュータが、第１ユーザの入眠又は起床の促進のために、１つ以上の装置が前記第１ユーザに与える刺激を制御するための刺激制御パターンを取得し、前記第１ユーザと同じ空間に存在する第２ユーザの睡眠状態を取得し、前記第２ユーザの前記睡眠状態に基づいて前記取得した刺激制御パターンを調整し、前記調整した刺激制御パターンで前記１つ以上の装置の動作を制御する。
【００１６】
この構成によれば、第１ユーザと同じ空間に存在する第２ユーザの睡眠状態に基づいて刺激制御パターンが調整され、調整された刺激制御パターンで１つ以上の装置の動作が制御されるので、物理的な設備なしで、同じ空間で複数のユーザが就寝していても当該複数のユーザのうちの特定のユーザ（すなわち第１ユーザ）向けの照明などの刺激の制御による入眠又は起床の促進効果の低下を抑制することができる。照明などの刺激が睡眠に影響を与える度合いは、睡眠状態に応じて異なる。そのため、第２ユーザの睡眠状態が第１ユーザ向けの照明など刺激の制御において考慮されることにより、第２ユーザの睡眠を妨げない範囲で第１ユーザ向けの当該刺激の効果を高めることができる。よって、第１ユーザと第２ユーザとが同じ空間で就寝する場合に、第２ユーザの睡眠を妨害することなく、第１ユーザに快適な入眠又は起床を促すことができる。
【００１７】
また、上記の情報処理方法において、前記刺激制御パターンの調整は、前記睡眠状態が基準よりも浅い場合に前記第１ユーザに与えられる刺激が、前記睡眠状態が前記基準よりも深い場合に前記第１ユーザに与えられる刺激よりも弱くなるように前記取得した刺激制御パターンを調整してもよい。
【００１８】
この構成によれば、第２ユーザの睡眠状態が基準よりも浅い場合は、第２ユーザの睡眠を妨げないような刺激が第１ユーザに与えられるので、第１ユーザに入眠又は起床を促す際に、第２ユーザの睡眠が妨害されるのを防止することができる。
【００１９】
また、上記の情報処理方法において、前記刺激制御パターンの調整は、前記取得した刺激制御パターンより前記刺激が弱くなるように前記取得した刺激制御パターンを調整してもよい。
【００２０】
この構成によれば、取得された刺激制御パターンより刺激が弱くなるように取得された刺激制御パターンが調整されるので、第２ユーザに与えられる刺激が弱くなり、第２ユーザの睡眠が妨害されるのを防止することができる。
【００２１】
また、上記の情報処理方法において、前記刺激制御パターンの調整は、前記睡眠状態が基準よりも深い場合、前記取得した刺激制御パターンにおける前記刺激を強くするタイミングが早くなるように前記取得した刺激制御パターンを調整してもよい。
【００２２】
この構成によれば、第２ユーザの睡眠状態が基準よりも深い場合に、刺激制御パターンにおける刺激を強くするタイミングを早めることにより、早めに第１ユーザの睡眠状態を基準よりも浅くすることができ、第１ユーザを起床予定時刻に確実に覚醒させることができる。
【００２３】
また、上記の情報処理方法において、前記刺激制御パターンの調整は、前記取得した刺激制御パターンにおける出力設定範囲を調整してもよい。
【００２４】
この構成によれば、取得された刺激制御パターンにおける出力設定範囲が調整されるので、出力設定範囲内において第１ユーザに快適な入眠又は起床を促すための最適な出力を設定することができる。
【００２５】
また、上記の情報処理方法において、さらに、前記第１ユーザの第１起床予定時刻と、前記第２ユーザの第２起床予定時刻とを取得し、前記刺激制御パターンの調整は、前記第１起床予定時刻と前記第２起床予定時刻との差に基づいて、前記出力設定範囲内で前記取得した刺激制御パターンの出力を調整してもよい。
【００２６】
この構成によれば、第１ユーザの第１起床予定時刻と第２ユーザの第２起床予定時刻との差が小さくなるほど、刺激制御パターンの出力を大きくすることにより、第１ユーザの快適性を優先して第１ユーザを入眠又は起床させることができる。また、第１ユーザの第１起床予定時刻と第２ユーザの第２起床予定時刻との差が大きくなるほど、刺激制御パターンの出力を小さくすることにより、第２ユーザの快適性を優先して第１ユーザを入眠又は起床させることができる。
【００２７】
また、上記の情報処理方法において、さらに、前記第１ユーザ及び前記第２ユーザの少なくとも一方の属性又は好みを取得し、前記刺激制御パターンの調整は、前記取得した属性又は好みに基づいて、前記出力設定範囲内で前記取得した刺激制御パターンの出力を調整してもよい。
【００２８】
この構成によれば、例えば、第２ユーザの性別又は年齢などの属性に基づいて、第１ユーザに与える刺激制御パターンの出力を大きくしたり小さくしたりすることができる。また、例えば、入眠時又は起床時に与えられる刺激に対する第１ユーザの好みに基づいて、第１ユーザに与える刺激制御パターンの出力を大きくしたり小さくしたりすることができる。
【００２９】
また、上記の情報処理方法において、さらに、前記第１ユーザ及び前記第２ユーザのいずれを優先するかを示す優先度情報を取得し、前記刺激制御パターンの調整は、前記取得した優先度情報に基づいて、前記出力設定範囲内で前記取得した刺激制御パターンの出力を調整してもよい。
【００３０】
この構成によれば、第１ユーザ及び第２ユーザのいずれを優先するかを示す優先度情報に基づいて、出力設定範囲内で刺激制御パターンの出力が調整されるので、第１ユーザを第２ユーザよりも優先する場合は、刺激制御パターンの出力をより大きくすることで、第１ユーザの快適性を優先して第１ユーザを入眠又は起床させることができ、第２ユーザを第１ユーザよりも優先する場合は、刺激制御パターンの出力をより小さくすることで、第２ユーザの快適性を優先して第１ユーザを入眠又は起床させることができる。
【００３１】
また、上記の情報処理方法において、さらに、前記第２ユーザの姿勢を取得し、前記刺激制御パターンの調整は、前記取得した姿勢に基づいて、前記出力設定範囲内で前記取得した刺激制御パターンの出力を調整してもよい。
【００３２】
この構成によれば、第２ユーザの姿勢に基づいて、出力設定範囲内で刺激制御パターンの出力が調整されるので、例えば、第２ユーザが１つ以上の装置による刺激が与えられやすい姿勢である場合に、刺激制御パターンの出力を小さくすることで、第２ユーザの睡眠が妨害されるのを防止することができる。
【００３３】
また、上記の情報処理方法において、前記１つ以上の装置は、前記第１ユーザに対応付けられた第１装置と、前記第２ユーザに対応付けられた第２装置とを含み、前記動作の制御は、前記調整した刺激制御パターンで前記第１装置の動作を制御してもよい。
【００３４】
この構成によれば、１つ以上の装置は、第１ユーザに対応付けられた第１装置と、第２ユーザに対応付けられた第２装置とを含み、調整した刺激制御パターンで第１装置の動作が制御されるので、第１ユーザを入眠又は起床させる際に第１ユーザに対応付けられた第１装置の動作のみが制御されることにより、第２ユーザの睡眠が妨害されるのをより確実に防止することができる。
【００３５】
また、上記の情報処理方法において、前記１つ以上の装置は、前記空間を照明する照明装置、前記空間に音を出力する音出力装置、前記空間に芳香剤を散布する芳香散布装置及び前記空間に風を出力する風出力装置の少なくとも１つを含んでもよい。
【００３６】
この構成によれば、空間を照明する照明装置、空間に音を出力する音出力装置、空間に芳香剤を散布する芳香散布装置及び空間に風を出力する風出力装置の少なくとも１つの動作が制御されるので、照明、音、芳香剤の香り及び風の少なくとも１つにより、第１ユーザに快適な入眠又は起床を促すことができる。
【００３７】
本開示の他の態様に係る情報処理プログラムは、第１ユーザの入眠又は起床の促進のために、１つ以上の装置が前記第１ユーザに与える刺激を制御するための刺激制御パターンを取得し、前記第１ユーザと同じ空間に存在する第２ユーザの睡眠状態を取得し、前記第２ユーザの前記睡眠状態に基づいて前記取得した刺激制御パターンを調整し、前記調整した刺激制御パターンで前記１つ以上の装置の動作を制御するようにコンピュータを機能させる。
【００３８】
この構成によれば、第１ユーザと同じ空間に存在する第２ユーザの睡眠状態に基づいて刺激制御パターンが調整され、調整された刺激制御パターンで１つ以上の装置の動作が制御されるので、物理的な設備なしで、同じ空間で複数のユーザが就寝していても当該複数のユーザのうちの特定のユーザ（すなわち第１ユーザ）向けの照明などの刺激の制御による入眠又は起床の促進効果の低下を抑制することができる。照明などの刺激が睡眠に影響を与える度合いは、睡眠状態に応じて異なる。そのため、第２ユーザの睡眠状態が第１ユーザ向けの照明など刺激の制御において考慮されることにより、第２ユーザの睡眠を妨げない範囲で第１ユーザ向けの当該刺激の効果を高めることができる。よって、第１ユーザと第２ユーザとが同じ空間で就寝する場合に、第２ユーザの睡眠を妨害することなく、第１ユーザに快適な入眠又は起床を促すことができる。
【００３９】
本開示の他の態様に係る情報処理システムは、第１ユーザの入眠又は起床の促進のために、１つ以上の装置が前記第１ユーザに与える刺激を制御するための刺激制御パターンを取得する刺激制御パターン取得部と、前記第１ユーザと同じ空間に存在する第２ユーザの睡眠状態を取得する睡眠状態取得と、前記第２ユーザの前記睡眠状態に基づいて前記取得した刺激制御パターンを調整する調整部と、前記調整した刺激制御パターンで前記１つ以上の装置の動作を制御する制御部と、を備える。
【００４０】
この構成によれば、第１ユーザと同じ空間に存在する第２ユーザの睡眠状態に基づいて刺激制御パターンが調整され、調整された刺激制御パターンで１つ以上の装置の動作が制御されるので、物理的な設備なしで、同じ空間で複数のユーザが就寝していても当該複数のユーザのうちの特定のユーザ（すなわち第１ユーザ）向けの照明などの刺激の制御による入眠又は起床の促進効果の低下を抑制することができる。照明などの刺激が睡眠に影響を与える度合いは、睡眠状態に応じて異なる。そのため、第２ユーザの睡眠状態が第１ユーザ向けの照明など刺激の制御において考慮されることにより、第２ユーザの睡眠を妨げない範囲で第１ユーザ向けの当該刺激の効果を高めることができる。よって、第１ユーザと第２ユーザとが同じ空間で就寝する場合に、第２ユーザの睡眠を妨害することなく、第１ユーザに快適な入眠又は起床を促すことができる。
【００４１】
以下本開示の実施の形態について、図面を参照しながら説明する。なお、以下の実施の形態は、本開示を具体化した一例であって、本開示の技術的範囲を限定するものではない。
【００４２】
（実施の形態１）
図１は、本開示の実施の形態１における機器制御システムの全体構成を示す図である。
【００４３】
図１に示す機器制御システムは、第１センサ１、第２センサ２、第１携帯端末３、第２携帯端末４、サーバ装置５及び照明装置６を備える。サーバ装置５は、第１センサ１、第２センサ２、第１携帯端末３、第２携帯端末４及び照明装置６のそれぞれとネットワーク７を介して互いに通信可能に接続されている。ネットワーク７は、例えば、インターネットである。
【００４４】
第１センサ１は、例えば、第１ユーザが就寝するベッドマットの下に設置されているシート型の圧電センサであり、第１ユーザの心拍数、呼吸数及び体動量などの生体データを取得する。第１センサ１は、第１ユーザの生体データを定期的（例えば、１０分毎）に取得する。第１センサ１は、取得した第１ユーザの生体データをサーバ装置５へ送信する。
【００４５】
第２センサ２は、例えば、第２ユーザが就寝するベッドマットの下に設置されているシート型の圧電センサであり、第２ユーザの心拍数、呼吸数及び体動量などの生体データを取得する。第２センサ２は、第２ユーザの生体データを定期的（例えば、１０分毎）に取得する。第２センサ２は、取得した第２ユーザの生体データをサーバ装置５へ送信する。
【００４６】
なお、第１センサ１及び第２センサ２は、圧電センサに限らず、電波センサなどの他の方式で生体データを取得するセンサであってもよい。また、本実施の形態１では、機器制御システムは、第１センサ１と第２センサ２とを備えているが、本開示は特にこれに限定されず、第１ユーザの生体データと第２ユーザの生体データとを取得する１つのセンサを備えてもよい。
【００４７】
また、第１ユーザがベッドマットに横たわっている場合、第１センサ１は、第１ユーザの生体データを取得する。そのため、第１ユーザがベッドマットに横たわっていない場合、第１センサ１は、第１ユーザの生体データを取得せず、第１ユーザの生体データをサーバ装置５に送信しない。これは、第２センサ２も同様である。
【００４８】
第１携帯端末３は、例えば、スマートフォン、タブレット型コンピュータ又はパーソナルコンピュータであり、第１ユーザにより利用される。第１携帯端末３は、第１ユーザの起床予定時刻の入力を受け付ける。第１携帯端末３は、第１ユーザの起床予定時刻をサーバ装置５へ送信する。
【００４９】
第２携帯端末４は、例えば、スマートフォン、タブレット型コンピュータ又はパーソナルコンピュータであり、第２ユーザにより利用される。第２携帯端末４は、第２ユーザの起床予定時刻の入力を受け付ける。第２携帯端末４は、第２ユーザの起床予定時刻をサーバ装置５へ送信する。
【００５０】
本実施の形態１では、機器制御システムは、第１携帯端末３と第２携帯端末４とを備えているが、本開示は特にこれに限定されず、第１ユーザ及び第２ユーザに共用され、第１ユーザ及び第２ユーザの起床予定時刻の入力を受け付ける１つの携帯端末を備えてもよい。
【００５１】
サーバ装置５は、第１ユーザ又は第２ユーザの起床のために照度を制御する照明装置６の動作を制御する。サーバ装置５は、照明装置６の動作を制御するための制御コマンドを照明装置６へ送信する。
【００５２】
照明装置６は、第１ユーザ及び第２ユーザが就寝する空間、すなわち寝室内に配置される。照明装置６は、寝室内を照らし、照度を調節することができる。照明装置６は、第１ユーザ又は第２ユーザの起床のために照度を制御する。照明装置６は、サーバ装置５からの制御コマンドに従って、照度を制御する。照明装置６は、第１ユーザの入眠又は起床のために刺激を制御する１つ以上の装置の一例である。
【００５３】
本実施の形態１では、１台の照明装置６が寝室に設置されている。照明装置６は、第１ユーザ及び第２ユーザにより共用される。
【００５４】
図２は、本開示の実施の形態１におけるサーバ装置の構成を示す図である。
【００５５】
サーバ装置５は、通信部５１、プロセッサ５２及びメモリ５３を備える。プロセッサ５２は、制御パターン取得部１０１、睡眠状態判定部１０２、制御パターン調整部１０３及び機器制御部１０４を備える。メモリ５３は、制御パターン記憶部１１１、起床予定時刻記憶部１１２及び到達照度範囲記憶部１１３を備える。
【００５６】
通信部５１は、第１センサ１によって送信された第１ユーザの生体データを受信する。通信部５１は、受信した第１ユーザの生体データを睡眠状態判定部１０２へ出力する。通信部５１は、第２センサ２によって送信された第２ユーザの生体データを受信する。通信部５１は、受信した第２ユーザの生体データを睡眠状態判定部１０２へ出力する。通信部５１は、第１携帯端末３によって送信された第１ユーザの起床予定時刻を受信する。通信部５１は、受信した第１ユーザの起床予定時刻を起床予定時刻記憶部１１２に記憶する。通信部５１は、第２携帯端末４によって送信された第２ユーザの起床予定時刻を受信する。通信部５１は、受信した第２ユーザの起床予定時刻を起床予定時刻記憶部１１２に記憶する。通信部５１は、機器制御部１０４によって生成された制御コマンドを照明装置６へ送信する。
【００５７】
制御パターン記憶部１１１は、ユーザが起床する際の照明装置６の動作を制御するための刺激制御パターンを記憶している。刺激制御パターンは、起床予定時刻の所定時間（例えば、３０分）前の第１タイミングから徐々に照度を上げ、起床予定時刻の直前の所定時間（例えば、３分）前の第２タイミングで急激に照度を上げ、起床予定時刻に最大照度となるように照明装置６を動作させる。なお、上記の刺激制御パターンは一例であり、本開示はこれに限定されず、他の刺激制御パターンにより第１ユーザを快適に起床させてもよい。
【００５８】
起床予定時刻記憶部１１２は、第１ユーザの起床予定時刻及び第２ユーザの起床予定時刻を記憶する。
【００５９】
到達照度範囲記憶部１１３は、後から起床する第２ユーザの睡眠状態と、先に起床する第１ユーザの起床予定時刻に到達すべき到達照度の上限値及び下限値を示す到達照度設定範囲とを対応付けたテーブルを照明装置の機種毎に記憶する。
【００６０】
制御パターン取得部１０１は、第１ユーザの起床の促進のために、照明装置６が第１ユーザに与える刺激を制御するための刺激制御パターンを取得する。
【００６１】
睡眠状態判定部１０２は、起床予定時刻記憶部１１２を参照し、第１ユーザ及び第２ユーザのうちの後から起床するユーザを特定し、特定した後から起床するユーザの睡眠状態を判定する。
【００６２】
睡眠状態判定部１０２は、第２ユーザが後から起床する場合、第２センサ２から取得した第２ユーザの生体データに基づいて、第２ユーザの睡眠状態を判定する。
【００６３】
人の睡眠は、眠りの深さ又は眠りの特徴によって、時系列で変化する複数の睡眠状態に分類できる。一般的に、睡眠は、レム睡眠とノンレム睡眠とに分類される。レム睡眠は、高速眼球運動を伴う睡眠である。レム睡眠では、体は休息状態であるが、脳は活動している状態である。人が夢を見るのはレム睡眠中であることが多いとされている。ノンレム睡眠は、高速眼球運動を伴わない睡眠であり、眠りの深さによってステージ１からステージ４の４つの段階にさらに分けられる。ステージ４が最も深い睡眠レベルである。通常、入眠から４５〜６０分以内にノンレム睡眠のステージ３又はステージ４まで到達し、その後、１〜２時間ほどで徐々に眠りが浅くなってレム睡眠になる。以後は、ノンレム睡眠とレム睡眠とが、９０〜１１０分の睡眠周期で交互に繰り返されるとされているが、これは個人差や個人内変動も大きい。
【００６４】
体動量、呼吸数及び心拍数の生体データは、睡眠状態に相関がある。例えば、ノンレム睡眠のステージ３又はステージ４といった深い睡眠状態においては、体動量が少なく、心拍変動（ＲＲＩ）が低くなることが知られている。睡眠状態判定部１０２は、このような相関関係を用いて、生体データからユーザの睡眠状態をリアルタイムに推定する。睡眠状態判定部１０２は、生体データに基づいて、ユーザが、覚醒、レム睡眠、ステージ１のノンレム睡眠、ステージ２のノンレム睡眠、ステージ３のノンレム睡眠、及びステージ４のノンレム睡眠のいずれであるかを推定する。
【００６５】
睡眠状態は、覚醒状態、浅い睡眠状態及び深い睡眠状態を含む。覚醒状態は、ユーザが起きている状態である。浅い睡眠状態は、ユーザがステージ１のノンレム睡眠又はステージ２のノンレム睡眠である状態である。深い睡眠状態は、ユーザがステージ３のノンレム睡眠又はステージ４のノンレム睡眠である状態である。レム睡眠は脳波の傾向としてステージ１に類似しているとされており、一見浅い睡眠と捉えられることも少なくはないが、筋抑制が働き前頭葉部の活動の低下がみられることから、浅い睡眠とは言えない程に覚醒しにくい状態であることがわかっており、ここでは深い睡眠状態として位置付ける。睡眠状態判定部１０２は、第２ユーザの睡眠状態が、覚醒状態、浅い睡眠状態及び深い睡眠状態のいずれであるかを判定する。
【００６６】
また、睡眠状態判定部１０２は、第１ユーザが後から起床する場合、第１センサ１から取得した第１ユーザの生体データに基づいて、第１ユーザの睡眠状態を判定する。この場合、睡眠状態判定部１０２は、第１ユーザの睡眠状態が、覚醒状態、浅い睡眠状態及び深い睡眠状態のいずれであるかを判定する。
【００６７】
なお、本実施の形態１では、ステージ１のノンレム睡眠又はステージ２のノンレム睡眠が浅い睡眠状態に該当し、ステージ３のノンレム睡眠又はステージ４のノンレム睡眠が深い睡眠状態に該当しているが、本開示は特にこれに限定されない。ステージ１のノンレム睡眠が浅い睡眠状態に該当し、ステージ２のノンレム睡眠、ステージ３のノンレム睡眠又はステージ４のノンレム睡眠が深い睡眠状態に該当してもよい。また、ステージ１のノンレム睡眠、ステージ２のノンレム睡眠、ステージ３のノンレム睡眠が浅い睡眠状態に該当し、ステージ４のノンレム睡眠が深い睡眠状態に該当してもよい。
【００６８】
制御パターン調整部１０３は、第１ユーザと同じ空間に存在する第２ユーザの睡眠状態を取得する。ここで、第１ユーザは、第２ユーザよりも先に起床する。そのため、制御パターン調整部１０３は、後から起床する第２ユーザの睡眠状態を睡眠状態判定部１０２から取得する。
【００６９】
なお、本実施の形態１では、睡眠状態判定部１０２は、起床予定時刻記憶部１１２を参照し、第１ユーザ及び第２ユーザのうちの後から起床するユーザを特定し、特定したユーザの睡眠状態を判定しているが、本開示は特にこれに限定されない。睡眠状態判定部１０２は、第１ユーザの睡眠状態と第２ユーザの睡眠状態とを判定してもよく、制御パターン調整部１０３は、起床予定時刻記憶部１１２を参照し、第１ユーザ及び第２ユーザのうちの後から起床するユーザを特定し、特定したユーザの睡眠状態を睡眠状態判定部１０２から取得してもよい。
【００７０】
制御パターン調整部１０３は、第２ユーザの睡眠状態に基づいて、制御パターン取得部１０１によって取得された刺激制御パターンを調整する。制御パターン調整部１０３は、睡眠状態が基準よりも浅い場合に第１ユーザに与えられる刺激が、睡眠状態が基準よりも深い場合に第１ユーザに与えられる刺激よりも弱くなるように取得された刺激制御パターンを調整する。なお、本実施の形態１において、第１ユーザに与えられる刺激は照明の光である。また、制御パターン調整部１０３は、取得された刺激制御パターンより刺激が弱くなるように取得された刺激制御パターンを調整する。
【００７１】
制御パターン調整部１０３は、制御パターン取得部１０１によって取得された刺激制御パターンにおける到達照度設定範囲（出力設定範囲）を調整する。制御パターン調整部１０３は、到達照度範囲記憶部１１３を参照し、睡眠状態判定部１０２によって判定された第２ユーザの睡眠状態に応じて到達照度設定範囲を決定する。
【００７２】
制御パターン調整部１０３は、第１ユーザの起床予定時刻（第１起床予定時刻）と第２ユーザの起床予定時刻（第２起床予定時刻）とを起床予定時刻記憶部１１２から取得する。制御パターン調整部１０３は、第１ユーザの起床予定時刻（第１起床予定時刻）と第２ユーザの起床予定時刻（第２起床予定時刻）との差に基づいて、到達照度設定範囲（出力設定範囲）内で刺激制御パターンの到達照度（出力）を調整する。例えば、制御パターン調整部１０３は、第１ユーザの起床予定時刻と第２ユーザの起床予定時刻との差が短いほど、到達照度設定範囲内の上限値に近い到達照度に調整し、第１ユーザの起床予定時刻と第２ユーザの起床予定時刻との差が長いほど、到達照度設定範囲内の下限値に近い到達照度に調整する。
【００７３】
ここで、第１ユーザの起床予定時刻と第２ユーザの起床予定時刻との差が短い場合とは、第１ユーザが起床してから第２ユーザが起床するまでの時間が短い場合を意味している。この場合、第１ユーザを起床させるために高い到達照度で照明されることにより、第２ユーザが目覚めたとしても、第２ユーザの起床予定時刻は、第１ユーザの起床予定時刻に近いため、特に問題ないと考えられる。一方、第１ユーザの起床予定時刻と第２ユーザの起床予定時刻との差が長い場合とは、第１ユーザが起床してから第２ユーザが起床するまでの時間が長い場合を意味している。この場合、第１ユーザを起床させるための到達照度を低く抑えることにより、睡眠中の第２ユーザが目覚めるのを防止することができる。
【００７４】
機器制御部１０４は、制御パターン調整部１０３によって調整された刺激制御パターンで照明装置６の動作を制御する。機器制御部１０４は、制御パターン調整部１０３によって調整された刺激制御パターンに従って照明装置６を動作させるための制御コマンドを生成する。
【００７５】
照明装置６は、不図示の光源部を備え、サーバ装置５から受信した制御コマンドに応じて動作する。照明装置６は、第１ユーザを起床させるための刺激制御パターンに従って動作する。
【００７６】
ここで、本実施の形態１では、第１携帯端末３又は第２携帯端末４は、サーバ装置５の通信部５１、プロセッサ５２及びメモリ５３のそれぞれの構成を備えてもよい。この場合、サーバ装置５が不要となる。
【００７７】
以下、本実施の形態１においては、照明装置６は、主寝室に１灯だけあるシーリングライトであり、第１ユーザが第２ユーザよりも早く起床し、照明装置６により起床する第１ユーザへの調光制御が行われる例について説明する。
【００７８】
図３は、本開示の実施の形態１において、先に起床する第１ユーザに与える刺激を制御するための刺激制御パターンの一例を示す図である。図３において、縦軸は照度を示し、横軸は時間を示す。図３において、破線は、就寝者が一人の場合における一般的な基準の刺激制御パターンを示す。基準の刺激制御パターンでは、起床予定時刻から所定時間前（例えば、３０分前）のタイミングから徐々に照度を上げ始め、起床予定時刻の直前の所定時間前（例えば、３分前）から起床予定時刻までに急激に照度を最大値まで上げるような制御が行われる。これにより、第１ユーザに対して光刺激によるすっきりとした目覚めを促す。
【００７９】
なお、本実施の形態１では、起床予定時刻から所定時間前の予め決められたタイミングになると、照度の上昇が開始されるが、本開示は特にこれに限定されず、起床予定時刻から所定時間前（例えば、１時間前）の予め決められたタイミングになると、第１ユーザの睡眠状態が深い睡眠状態であるか否かが判断されてもよい。そして、第１ユーザの睡眠状態が深い睡眠状態であると判断された場合、照度の上昇が開始されてもよく、第１ユーザの睡眠状態が深い睡眠状態ではないと判断された場合、照度の上昇が開始されなくてもよい。その後、第１ユーザの睡眠状態が深い睡眠状態であると判断された時点で、照度の上昇が開始されてもよい。
【００８０】
また、本実施の形態１では、起床予定時刻から直前の所定時間前の予め決められたタイミングになると、照度が最大値まで急激に上昇されるが、本開示は特にこれに限定されず、第１ユーザの睡眠状態が浅い睡眠状態であるか否かが判断されてもよい。そして、第１ユーザの睡眠状態が浅い睡眠状態であると判断された場合、照度が最大値まで急激に上昇されてもよく、第１ユーザの睡眠状態が浅い睡眠状態ではないと判断された場合、照度が急激に上昇されずに、徐々に上昇されてもよい。
【００８１】
また、制御パターン調整部１０３は、睡眠状態判定部１０２によって判定された第２ユーザの睡眠状態により、破線で示される基準刺激制御パターンを調整する。具体的には、制御パターン調整部１０３は、起床予定時刻における到達照度を通常レベル（最大値）よりも低く設定する。
【００８２】
図４は、本開示の実施の形態１における到達照度範囲記憶部が記憶するテーブルの一例を示す図ある。
【００８３】
制御パターン調整部１０３は、到達照度範囲記憶部１１３が記憶する図４に示すテーブルを参照し、第２ユーザの睡眠状態に応じて刺激制御パターンの到達照度の到達照度設定範囲を決定し、決定した到達照度設定範囲内で到達照度を決定する。
【００８４】
図４に示すように、到達照度範囲記憶部１１３は、後から起床する第２ユーザの睡眠状態と、先に起床する第１ユーザの起床予定時刻に到達すべき到達照度の上限値Ｕ１及び下限値Ｌ１を示す到達照度設定範囲とを対応付けたテーブルを照明装置の機種毎に記憶する。本実施の形態１における照明装置６は主寝室に１台のみ配置されている。
【００８５】
深い睡眠状態には、通常レベルより暗い値（例えば５００ルクス）である上限値Ｕ１と、常夜灯レベルより明るい値（例えば３０ルクス）である下限値Ｌ１とが対応付けられている。なお、通常レベルは、照明装置６の最大照度であり、例えば１０００ルクスである。常夜灯レベルは、例えば１０ルクスである。上限値Ｕ１は、例えば、通常レベルの半分の値である。
【００８６】
また、浅い睡眠状態には、常夜灯レベルの値（例えば１０ルクス）である上限値Ｕ２と、０ルクスである下限値Ｌ２とが対応付けられている。
【００８７】
図３において、実線は、第２ユーザの睡眠状態が深い睡眠状態である場合の刺激制御パターンを示し、一点鎖線は、第２ユーザの睡眠状態が浅い睡眠状態である場合の刺激制御パターンを示している。到達照度の上限値Ｕ１と下限値Ｌ１との間の範囲が、到達照度設定範囲Ｒ１であり、到達照度の上限値Ｕ２と下限値Ｌ２との間の範囲が、到達照度設定範囲Ｒ２である。
【００８８】
図３に示すように、第２ユーザの睡眠状態が深い睡眠状態である場合の刺激制御パターンの到達照度は、基準の刺激制御パターンの到達照度より小さくなっている。また、第２ユーザの睡眠状態が浅い睡眠状態である場合の刺激制御パターンの到達照度は、第２ユーザの睡眠状態が深い睡眠状態である場合の刺激制御パターンの到達照度より小さくなっている。
【００８９】
なお、本実施の形態１では、機器制御システムは、寝室の天井に設けられた１台の照明装置６を備えているが、本開示は特にこれに限定されず、第１ユーザを個別に照明する第１照明装置と、第２ユーザを個別に照明する第２照明装置とを備えてもよい。
【００９０】
図５は、本開示の実施の形態１において、第１ユーザ及び第２ユーザに個別に照明する際に到達照度範囲記憶部が記憶するテーブルの一例を示す図ある。
【００９１】
図５に示すように、到達照度範囲記憶部１１３は、後から起床する第２ユーザの睡眠状態と、先に起床する第１ユーザの起床予定時刻に到達すべき到達照度の上限値Ｕ１及び下限値Ｌ１を示す到達照度設定範囲とを対応付けたテーブルを照明装置の機種毎に記憶する。照明装置は、第１ユーザに対応付けられた第１照明装置と、第２ユーザに対応付けられた第２照明装置とを含む。
【００９２】
機器制御部１０４は、制御パターン調整部１０３によって調整された刺激制御パターンで第１照明装置の動作を制御する。機器制御部１０４は、制御パターン調整部１０３によって調整された刺激制御パターンに従って第１照明装置を動作させるための制御コマンドを生成する。第１照明装置は、サーバ装置５から受信した制御コマンドに応じて動作する。第１照明装置は、第１ユーザを起床させるための刺激制御パターンに従って動作する。
【００９３】
深い睡眠状態には、通常レベルより暗い値（例えば８００ルクス）である上限値Ｕ１と、常夜灯レベルより明るい値（例えば１００ルクス）である下限値Ｌ１とが対応付けられている。なお、通常レベルは、第１照明装置の最大照度であり、例えば１０００ルクスである。常夜灯レベルは、例えば１０ルクスである。上限値Ｕ１は、例えば、通常レベルの８０％の値である。
【００９４】
また、浅い睡眠状態には、深い睡眠状態の上限値Ｕ１より暗い値（例えば５００ルクス）である上限値Ｕ２と、深い睡眠状態の下限値Ｌ１より暗い値（例えば３０ルクス）である下限値Ｌ２とが対応付けられている。
【００９５】
第１照明装置は第１ユーザのみを照明する。そのため、第１ユーザ及び第２ユーザのそれぞれに個別に利用される第１照明装置及び第２照明装置の到達照度の上限値及び下限値は、第１ユーザ及び第２ユーザに共用される１つの照明装置の到達照度の上限値及び下限値よりも高くなっている。
【００９６】
また、本実施の形態１において、機器制御システムは、第１ユーザの目元を個別に照明する第１照明装置と、第２ユーザの目元を個別に照明する第２照明装置とを備えてもよい。
【００９７】
図６は、本開示の実施の形態１において、第１ユーザの目元及び第２ユーザの目元に個別に照明する際に到達照度範囲記憶部が記憶するテーブルの一例を示す図ある。
【００９８】
図６に示すように、到達照度範囲記憶部１１３は、後から起床する第２ユーザの睡眠状態と、先に起床する第１ユーザの起床予定時刻に到達すべき到達照度の上限値Ｕ１及び下限値Ｌ１を示す到達照度設定範囲とを対応付けたテーブルを照明装置の機種毎に記憶する。照明装置は、第１ユーザの目元に照明する第１照明装置と、第２ユーザの目元に照明する第２照明装置とを含む。
【００９９】
機器制御部１０４は、制御パターン調整部１０３によって調整された刺激制御パターンで第１照明装置の動作を制御する。機器制御部１０４は、制御パターン調整部１０３によって調整された刺激制御パターンに従って第１照明装置を動作させるための制御コマンドを生成する。第１照明装置は、サーバ装置５から受信した制御コマンドに応じて動作する。第１照明装置は、第１ユーザを起床させるための刺激制御パターンに従って動作する。
【０１００】
深い睡眠状態には、通常レベルより暗い値（例えば９００ルクス）である上限値Ｕ１と、常夜灯レベルより明るい値（例えば３００ルクス）である下限値Ｌ１とが対応付けられている。なお、通常レベルは、第１照明装置の最大照度であり、例えば１０００ルクスである。常夜灯レベルは、例えば１０ルクスである。上限値Ｕ１は、例えば、通常レベルの９０％の値である。
【０１０１】
また、浅い睡眠状態には、通常レベルより暗く、かつ深い睡眠状態の上限値Ｕ１より暗い値（例えば８００ルクス）である上限値Ｕ２と、常夜灯レベルより明るく、かつ深い睡眠状態の下限値Ｌ１より暗い値（例えば１００ルクス）である下限値Ｌ２とが対応付けられている。
【０１０２】
第１照明装置は第１ユーザの目元のみを照明する。そのため、第１ユーザ及び第２ユーザのそれぞれの目元のみを照明する第１照明装置及び第２照明装置の到達照度の上限値及び下限値は、第１ユーザ及び第２ユーザに共用される１つの照明装置の到達照度の上限値及び下限値よりも高くなっており、さらに、第１ユーザ及び第２ユーザのそれぞれに個別に利用される第１照明装置及び第２照明装置の到達照度の上限値及び下限値よりも高くなっている。
【０１０３】
このように、到達照度の上限値及び下限値は、各家庭の照明装置の設備状況に応じて設定されてもよい。
【０１０４】
図７は、本開示の実施の形態１におけるサーバ装置の動作を説明するためのフローチャートである。
【０１０５】
まず、制御パターン取得部１０１は、第１ユーザ及び第２ユーザのうちの先に起床する第１ユーザの起床予定時刻の所定時間前（例えば、３０分前）になると、第１ユーザの起床の促進のために、照明装置６が第１ユーザに与える刺激を制御するための刺激制御パターンを制御パターン記憶部１１１から取得する（ステップＳ１）。なお、制御パターン取得部１０１は、起床予定時刻記憶部１１２を参照することにより、第１ユーザ及び第２ユーザのうちの先に起床する第１ユーザの起床予定時刻を取得する。
【０１０６】
次に、睡眠状態判定部１０２は、第１ユーザ及び第２ユーザのうちの後に起床する第２ユーザの生体データが存在するか否かを判断する（ステップＳ２）。第２ユーザが就寝していない場合、第２ユーザの生体データは検出されない。そのため、第２ユーザの生体データが存在するか否かが判断されることにより、第２ユーザが就寝しているか否かを判断することができる。
【０１０７】
ここで、第２ユーザの生体データが存在しないと判断された場合（ステップＳ２でＮＯ）、ステップＳ１１に処理が移行する。
【０１０８】
一方、第２ユーザの生体データが存在すると判断された場合（ステップＳ２でＹＥＳ）、睡眠状態判定部１０２は、第２センサ２によって検出された第２ユーザの生体データを取得する（ステップＳ３）。
【０１０９】
次に、睡眠状態判定部１０２は、取得した第２ユーザの生体データに基づいて、第２ユーザの睡眠状態を判定する（ステップＳ４）。
【０１１０】
次に、制御パターン調整部１０３は、睡眠状態判定部１０２によって判定された第２ユーザの睡眠状態が深い睡眠状態であるか否かを判断する（ステップＳ５）。
【０１１１】
ここで、第２ユーザの睡眠状態が深い睡眠状態であると判断された場合（ステップＳ５でＹＥＳ）、制御パターン調整部１０３は、到達照度範囲記憶部１１３に記憶されているテーブルを参照し、深い睡眠状態に対応付けられている、第１ユーザに対する刺激制御パターンの到達照度の上限値及び下限値を決定する（ステップＳ６）。図４に示すテーブルが用いられる場合、制御パターン調整部１０３は、到達照度の上限値を５００ルクスに決定するとともに、到達照度の下限値を３０ルクスに決定する。
【０１１２】
一方、第２ユーザの睡眠状態が深い睡眠状態ではないと判断された場合、すなわち、第２ユーザの睡眠状態が浅い睡眠状態であると判断された場合（ステップＳ５でＮＯ）、制御パターン調整部１０３は、到達照度範囲記憶部１１３に記憶されているテーブルを参照し、浅い睡眠状態に対応付けられている、第１ユーザに対する刺激制御パターンの到達照度の上限値及び下限値を決定する（ステップＳ７）。図４に示すテーブルが用いられる場合、制御パターン調整部１０３は、到達照度の上限値を１０ルクスに決定するとともに、到達照度の下限値を０ルクスに決定する。
【０１１３】
次に、制御パターン調整部１０３は、所定の条件に基づいて、決定した上限値と下限値との間の到達照度設定範囲内における到達照度を決定する（ステップＳ８）。本実施の形態１における所定の条件は、第１ユーザの起床予定時刻と第２ユーザの起床予定時刻との差が何時間であるかである。制御パターン調整部１０３は、第１ユーザの起床予定時刻と第２ユーザの起床予定時刻との差が短いほど、到達照度設定範囲内の上限値に近い到達照度に設定し、第１ユーザの起床予定時刻と第２ユーザの起床予定時刻との差が長いほど、到達照度設定範囲内の下限値に近い到達照度に設定する。
【０１１４】
例えば、制御パターン調整部１０３は、第１ユーザの起床予定時刻と第２ユーザの起床予定時刻との差が５分以下であれば、到達照度を上限値に決定し、第１ユーザの起床予定時刻と第２ユーザの起床予定時刻との差が１時間以上であれば、到達照度を下限値に決定してもよい。そして、制御パターン調整部１０３は、第１ユーザの起床予定時刻と第２ユーザの起床予定時刻との差が５分より長く１時間より短い場合、時間差に応じて到達照度設定範囲内で到達照度を決定してもよい。
【０１１５】
なお、制御パターン調整部１０３は、第１ユーザの起床予定時刻と第２ユーザの起床予定時刻との差が所定時間（例えば３０分）未満であるか否かを判断してもよい。そして、第１ユーザの起床予定時刻と第２ユーザの起床予定時刻との差が所定時間未満であると判断された場合、制御パターン調整部１０３は、到達照度を上限値に決定してもよい。また、第１ユーザの起床予定時刻と第２ユーザの起床予定時刻との差が所定時間以上であると判断された場合、制御パターン調整部１０３は、到達照度を下限値に決定してもよい。
【０１１６】
次に、制御パターン調整部１０３は、決定した到達照度に基づいて刺激制御パターンを調整する。すなわち、制御パターン調整部１０３は、第１ユーザの起床予定時刻における照明装置６の照度が、決定した到達照度になるように、刺激制御パターンを調整する。
【０１１７】
次に、機器制御部１０４は、刺激制御パターンに従って照明装置６を動作させるための制御コマンドを生成する（ステップＳ１０）。ここで、第２ユーザの生体データが存在すると判断され、制御パターン調整部１０３によって刺激制御パターンが調整された場合、機器制御部１０４は、制御パターン調整部１０３によって調整された刺激制御パターンに従って照明装置６を動作させるための制御コマンドを生成する。一方、第２ユーザの生体データが存在しないと判断された場合（ステップＳ２でＮＯ）、機器制御部１０４は、制御パターン記憶部１１１から取得した刺激制御パターンに従って照明装置６を動作させるための制御コマンドを生成する。
【０１１８】
次に、通信部５１は、機器制御部１０４によって生成された制御コマンドを照明装置６へ送信する（ステップＳ１１）。照明装置６は、制御コマンドを受信し、受信した制御コマンドで示される刺激制御パターンに従って動作する。
【０１１９】
このように、第１ユーザと第２ユーザとが同じ空間で就寝する場合に、後から起床する第２ユーザの睡眠を妨害することなく、先に起床する第１ユーザに快適な起床を促すことができる。
【０１２０】
なお、本実施の形態１では、制御コマンドが照明装置６へ送信された後、照明装置６は、第１ユーザの起床予定時刻まで制御コマンドで示される刺激制御パターンに従って動作するが、本開示は特にこれに限定されず、制御コマンドが照明装置６へ送信された後、所定時間毎に、図７に示すステップＳ１〜ステップＳ１１の処理が行われてもよい。これにより、第１ユーザの起床予定時刻までの間に、第２ユーザの睡眠状態が変化したとしても、変化後の第２ユーザの睡眠状態に応じて刺激制御パターンを調整することができる。
【０１２１】
また、制御コマンドが照明装置６へ送信された後、睡眠状態判定部１０２は、第２ユーザの睡眠状態が変化したか否かを判断してもよい。そして、第２ユーザの睡眠状態が変化したと判断された場合、図７に示すステップＳ５〜ステップＳ１１の処理が行われてもよい。これにより、第１ユーザの起床予定時刻までの間に、第２ユーザの睡眠状態が変化したとしても、変化後の第２ユーザの睡眠状態に応じて刺激制御パターンを調整することができる。
【０１２２】
なお、本実施の形態１では、制御パターン調整部１０３は、第２ユーザの睡眠状態に応じて刺激制御パターンの到達照度の上限値及び下限値を決定し、所定の条件に基づいて、決定した上限値と下限値との間の到達照度設定範囲内における到達照度を決定しているが、本開示は特にこれに限定されず、制御パターン調整部１０３は、第２ユーザの睡眠状態に応じて刺激制御パターンの到達照度を決定してもよい。例えば、制御パターン調整部１０３は、第２ユーザの睡眠状態が深い睡眠状態である場合、通常レベルよりも暗い第１到達照度に決定し、第２ユーザの睡眠状態が浅い睡眠状態である場合、第１到達照度よりも暗い第２到達照度に決定してもよい。
【０１２３】
また、本実施の形態１では、制御パターン調整部１０３は、第１ユーザの起床予定時刻と第２ユーザの起床予定時刻との差に基づいて、決定した上限値と下限値との間の到達照度設定範囲内における到達照度を決定しているが、本開示は特にこれに限定されない。制御パターン調整部１０３は、第１ユーザ及び第２ユーザの少なくとも一方の属性を取得してもよい。そして、制御パターン調整部１０３は、第１ユーザ及び第２ユーザの少なくとも一方の属性に基づいて、決定した上限値と下限値との間の到達照度設定範囲内における到達照度を決定してもよい。
【０１２４】
属性は、例えば、年齢又は性別である。子供及び老人は、光刺激に対する感度が低いため、到達照度が比較的高くても覚醒しにくい傾向がある。そこで、制御パターン調整部１０３は、後から起床する第２ユーザの年齢が所定の第１年齢（例えば、１５歳）以下である場合、すなわち、第２ユーザが子供である場合、到達照度を上限値に決定してもよい。また、制御パターン調整部１０３は、第２ユーザの年齢が所定の第２年齢（例えば、６０歳）以上である場合、すなわち、第２ユーザが老人である場合、到達照度を上限値に決定してもよい。そして、制御パターン調整部１０３は、第２ユーザの年齢が第１年齢より大きく第２年齢より小さい場合、年齢に応じて到達照度設定範囲内で到達照度を決定してもよい。さらに、制御パターン調整部１０３は、第２ユーザが乳児又は幼児である場合、第２ユーザを覚醒させないようにするため、到達照度を下限値に決定してもよい。
【０１２５】
また、制御パターン調整部１０３は、後から起床する第２ユーザが男性である場合、到達照度を上限値に決定してもよく、後から起床する第２ユーザが女性である場合、到達照度を下限値に決定してもよい。なお、第１ユーザ及び第２ユーザの属性又は年齢は、メモリ５３に予め記憶されている。
【０１２６】
また、制御パターン調整部１０３は、第２ユーザの姿勢を取得してもよい。そして、制御パターン調整部１０３は、取得した姿勢に基づいて、決定した上限値と下限値との間の到達照度設定範囲内における到達照度を決定してもよい。寝室内に設置されたカメラが、就寝している第２ユーザを撮影する。サーバ装置５は、カメラによって撮影された画像から第２ユーザの姿勢を認識する。制御パターン調整部１０３は、第２ユーザの姿勢が照明装置６の方向を向いている姿勢である場合、到達照度を下限値に近づけてもよい。また、制御パターン調整部１０３は、第２ユーザの姿勢が照明装置６の方向を向いていない姿勢である場合、到達照度を上限値に近づけてもよい。
【０１２７】
また、サーバ装置５は、カメラによって撮影された画像から第２ユーザの姿勢が仰向けであるか否かを認識してもよい。制御パターン調整部１０３は、第２ユーザが仰向けの姿勢である場合、到達照度を下限値に近づけてもよい。また、制御パターン調整部１０３は、第２ユーザが仰向けの姿勢ではない場合、到達照度を上限値に近づけてもよい。
【０１２８】
また、本実施の形態１では、制御パターン調整部１０３は、第１ユーザの起床予定時刻における到達照度を変更しているが、本開示は特にこれに限定されない。制御パターン調整部１０３は、第２ユーザの睡眠状態が基準よりも深い場合、取得された刺激制御パターンにおける刺激を強くするタイミングが早くなるように取得された刺激制御パターンを調整してもよい。
【０１２９】
図８は、本開示の実施の形態１において、先に起床する第１ユーザに与える刺激を制御するための刺激制御パターンの他の例を示す図である。図８において、縦軸は照度を示し、横軸は時間を示す。図８において、破線は、就寝者が一人の場合における一般的な基準の刺激制御パターンを示す。基準の刺激制御パターンでは、起床予定時刻から所定時間前（例えば、３０分前）のタイミングから徐々に照度を上げ始め、起床予定時刻の直前の所定時間前（例えば、３分前）から起床予定時刻までに急激に照度を最大値まで上げるような制御が行われる。これにより、第１ユーザに対して光刺激によるすっきりとした目覚めを促す。
【０１３０】
図８において、実線は、第２ユーザの睡眠状態が深い睡眠状態である場合の刺激制御パターンを示し、一点鎖線は、第２ユーザの睡眠状態が浅い睡眠状態である場合の刺激制御パターンを示している。到達照度の上限値Ｕ１と下限値Ｌ１との間の範囲が、到達照度設定範囲Ｒ１であり、到達照度の上限値Ｕ２と下限値Ｌ２との間の範囲が、到達照度設定範囲Ｒ２である。
【０１３１】
図８に示すように、制御パターン調整部１０３は、第２ユーザの睡眠状態が深い睡眠状態である場合、刺激制御パターンにおける照度を急激に上げるタイミングが早くなるように刺激制御パターンを調整してもよい。また、制御パターン調整部１０３は、起床予定時刻の所定時間前の第１タイミングで照度を到達照度よりも暗い所定の照度まで上げ、当該所定の照度を所定の期間維持し、起床予定時刻の直前の所定時間前の第２タイミングで照度を急激に到達照度まで上げるように刺激制御パターンを調整してもよい。
【０１３２】
このように、刺激制御パターンにおける照度を急激に上げるタイミングが早くなるように刺激制御パターンが調整されることにより、第１ユーザの睡眠状態を早めに浅い睡眠状態に変化させることができる。そのため、到達照度が通常レベルよりも暗い場合であっても、起床予定時刻に第１ユーザを覚醒させることができる。
【０１３３】
なお、制御パターン調整部１０３は、第２ユーザの睡眠状態が浅い睡眠状態である場合にも、刺激制御パターンにおける照度を上げるタイミングが早くなるように刺激制御パターンを調整してもよい。
【０１３４】
さらに、実施の形態１における到達照度の上限値及び下限値は、起床時における照明制御の知見から得られる所定の値でもよい。また、到達照度は、機器制御システムが利用され続けることにより、第１ユーザの起床時における覚醒度合い、又は第１ユーザの起床時における第２ユーザの体動反応の度合いに応じて更新されてもよい。例えば、睡眠状態判定部１０２は、起床予定時刻に第１ユーザが覚醒したか否かを判断してもよい。起床予定時刻に第１ユーザが覚醒した場合、制御パターン調整部１０３は、現在の到達照度を維持する。一方、起床予定時刻に第１ユーザが覚醒しなかった場合、制御パターン調整部１０３は、現在の到達照度をさらに上限値に近づけるように変更してもよい。
【０１３５】
また、例えば、第１ユーザの起床予定時刻における第２ユーザの体動量が所定値以上である場合、制御パターン調整部１０３は、現在の到達照度をさらに下限値に近づけるように変更してもよい。また、第１ユーザの起床予定時刻における第２ユーザの体動量が所定値より小さい場合、制御パターン調整部１０３は、現在の到達照度をさらに上限値に近づけるように変更してもよい。
【０１３６】
また、本実施の形態１では、制御パターン調整部１０３は、第２ユーザの睡眠状態に応じて第１ユーザの起床予定時刻における到達照度を変更しているが、本開示は特にこれに限定されず、第２ユーザの睡眠状態に応じて現在の照度を変更してもよい。
【０１３７】
また、本実施の形態１において、制御パターン取得部１０１は、後に起床する第２ユーザの起床予定時刻に基づいて刺激制御パターンを取得してもよい。そして、機器制御部１０４は、制御パターン取得部１０１によって取得された第２ユーザに対する刺激制御パターンに従って照明装置６の動作を制御するための制御コマンドを生成してもよい。照明装置６は、先に起床する第１ユーザの起床予定時刻が経過した後、後に起床する第２ユーザの起床予定時刻になるまで、第２ユーザに対する刺激制御パターンに従って動作する。
【０１３８】
なお、１台の照明装置が存在する場合は、先に起床する第１ユーザの起床予定時刻が経過した後、後に起床する第２ユーザの起床予定時刻に基づいて照明装置の動作を制御する必要がある。しかしながら、第１ユーザ及び第２ユーザを個別に照明する第１照明装置及び第２照明装置が存在する場合は、先に起床する第１ユーザの起床予定時刻が経過したか否かに関係なく、後に起床する第２ユーザの起床予定時刻に基づいて第２照明装置の動作を制御することが可能である。
【０１３９】
（実施の形態２）
実施の形態１では、制御パターン調整部１０３は、第１ユーザの起床予定時刻と第２ユーザの起床予定時刻との差に基づいて、決定した上限値と下限値との間の到達照度設定範囲内における到達照度を決定しているが、実施の形態２では、制御パターン調整部は、第１ユーザ及び第２ユーザのいずれを優先するかを示す優先度情報に基づいて、決定した上限値と下限値との間の到達照度設定範囲内における到達照度を決定する。
【０１４０】
図９は、本開示の実施の形態２におけるサーバ装置の構成を示す図である。
【０１４１】
サーバ装置５Ａは、通信部５１Ａ、プロセッサ５２Ａ及びメモリ５３Ａを備える。プロセッサ５２Ａは、制御パターン取得部１０１、睡眠状態判定部１０２、制御パターン調整部１０３Ａ及び機器制御部１０４を備える。メモリ５３Ａは、制御パターン記憶部１１１、起床予定時刻記憶部１１２、到達照度範囲記憶部１１３及び優先度記憶部１１４を備える。なお、本実施の形態２において、実施の形態１と同じ構成については同じ符号を付し、説明を省略する。
【０１４２】
第１携帯端末３は、第１ユーザの起床予定時刻の入力を受け付けるとともに、第１ユーザ及び第２ユーザのいずれを優先するかを示す優先度情報の入力を受け付ける。第１携帯端末３は、第１ユーザの起床予定時刻及び優先度情報をサーバ装置５へ送信する。
【０１４３】
なお、第２携帯端末４が、第１ユーザ及び第２ユーザのいずれを優先するかを示す優先度情報の入力を受け付けてもよい。第１携帯端末３及び第２携帯端末４の両者から優先度情報が送信された場合、サーバ装置５は、最新の優先度情報を採用してもよい。
【０１４４】
図１０は、本開示の実施の形態２の第１携帯端末において、第１ユーザを優先する際に表示される優先度入力画面の一例を示す図であり、図１１は、本開示の実施の形態２の第１携帯端末において、第２ユーザを優先する際に表示される優先度入力画面の一例を示す図である。
【０１４５】
実施の形態２では、第１ユーザが第１携帯端末３に搭載されたアプリケーションにより、先に起床する人に対する照明の制御において優先度を設定する場合の動作について説明する。なお、図１０及び図１１において、パパは第１ユーザの呼称であり、ママは第２ユーザの呼称である。
【０１４６】
図１０に示す優先度入力画面では、先に起床する第１ユーザが次の日の起床時において自分の快適な起床を優先させるため、第１ユーザ及び第２ユーザのうちの第１ユーザが優先されている。一方、図１１に示す優先度入力画面では、先に起床する第１ユーザが次の日の起床時において第２ユーザの快適な睡眠を優先させるため、第１ユーザ及び第２ユーザのうちの第２ユーザが優先されている。優先度入力画面は、第１ユーザ及び第２ユーザのうちのいずれを優先させるかを示す優先度情報の入力を受け付ける。第１ユーザは、優先度入力画面に表示される第１ユーザを示す画像及び第２ユーザを示す画像のうち、優先させるユーザに対応する画像をタップする。これにより、第１ユーザ及び第２ユーザのうちのいずれを優先させるかが選択される。
【０１４７】
第１携帯端末３は、第１ユーザにより入力された第１ユーザ及び第２ユーザのうちのいずれを優先させるかを示す優先度情報をサーバ装置５へ送信する。
【０１４８】
サーバ装置５Ａの通信部５１Ａは、第１携帯端末３によって送信された第１ユーザの起床予定時刻及び優先度情報を受信する。
【０１４９】
優先度記憶部１１４は、第１携帯端末３により入力された第１ユーザ及び第２ユーザのうちのいずれを優先させるかを示す優先度情報を記憶する。なお、優先度記憶部１１４は、照明装置６を識別するための識別情報に対応付けて優先度情報を記憶している。通信部５１Ａは、受信した優先度情報を優先度記憶部１１４に記憶する。
【０１５０】
本実施の形態２では、後から起床するユーザが第２ユーザであるため、制御パターン調整部１０３Ａは、後から起床する第２ユーザの睡眠状態を睡眠状態判定部１０２から取得する。制御パターン調整部１０３Ａは、第２ユーザの睡眠状態に基づいて、制御パターン取得部１０１によって取得された刺激制御パターンを調整する。制御パターン調整部１０３Ａは、到達照度範囲記憶部１１３を参照し、睡眠状態判定部１０２によって判定された第２ユーザの睡眠状態に応じて到達照度設定範囲を決定する。
【０１５１】
制御パターン調整部１０３Ａは、第１ユーザ及び第２ユーザのいずれを優先するかを示す優先度情報を優先度記憶部１１４から取得する。制御パターン調整部１０３Ａは、取得した優先度情報に基づいて、到達照度設定範囲（出力設定範囲）内で刺激制御パターンの到達照度（出力）を調整する。例えば、制御パターン調整部１０３は、優先度情報が第１ユーザを優先することを示している場合、到達照度を到達照度設定範囲内の上限値に設定する。また、例えば、制御パターン調整部１０３は、優先度情報が第２ユーザを優先することを示している場合、到達照度を到達照度設定範囲内の下限値に設定する。なお、設定される到達照度は、到達照度設定範囲内であれば上限値又は下限値以外の値であってもよい。また、優先度情報が用いられない場合は、到達照度は、例えば到達照度設定範囲の中央値に設定されてもよい。
【０１５２】
図１２は、本開示の実施の形態２におけるサーバ装置の動作を説明するための第１のフローチャートであり、図１３は、本開示の実施の形態２におけるサーバ装置の動作を説明するための第２のフローチャートである。
【０１５３】
なお、ステップＳ２１〜ステップＳ２７の処理は、図７に示すステップＳ１〜ステップＳ７の処理と同じであるので、説明を省略する。
【０１５４】
ステップＳ２６で深い睡眠状態に対応付けられている到達照度の上限値及び下限値が決定された後、制御パターン調整部１０３Ａは、優先度記憶部１１４に記憶されている優先度情報を参照し、第１ユーザが優先されるか否かを判断する（ステップＳ２８）。ここで、第１ユーザが優先されると判断された場合（ステップＳ２８でＹＥＳ）、制御パターン調整部１０３Ａは、第１ユーザに対する刺激制御パターンの到達照度を到達照度設定範囲内における上限値に決定する（ステップＳ２９）。図４に示すテーブルが用いられる場合、制御パターン調整部１０３Ａは、到達照度を上限値の５００ルクスに決定する。
【０１５５】
一方、第１ユーザが優先されないと判断された場合、すなわち、第２ユーザが優先されると判断された場合（ステップＳ２８でＮＯ）、制御パターン調整部１０３Ａは、第１ユーザに対する刺激制御パターンの到達照度を到達照度設定範囲内における下限値に決定する（ステップＳ３０）。図４に示すテーブルが用いられる場合、制御パターン調整部１０３Ａは、到達照度を下限値の３０ルクスに決定する。
【０１５６】
また、ステップＳ２７で浅い睡眠状態に対応付けられている到達照度の上限値及び下限値が決定された後、制御パターン調整部１０３Ａは、優先度記憶部１１４に記憶されている優先度情報を参照し、第１ユーザが優先されるか否かを判断する（ステップＳ３１）。ここで、第１ユーザが優先されると判断された場合（ステップＳ３１でＹＥＳ）、制御パターン調整部１０３Ａは、第１ユーザに対する刺激制御パターンの到達照度を到達照度設定範囲内における上限値に決定する（ステップＳ３２）。図４に示すテーブルが用いられる場合、制御パターン調整部１０３Ａは、到達照度を上限値の１０ルクスに決定する。
【０１５７】
一方、第１ユーザが優先されないと判断された場合、すなわち、第２ユーザが優先されると判断された場合（ステップＳ３１でＮＯ）、制御パターン調整部１０３Ａは、第１ユーザに対する刺激制御パターンの到達照度を到達照度設定範囲内における下限値に決定する（ステップＳ３３）。図４に示すテーブルが用いられる場合、制御パターン調整部１０３Ａは、到達照度を下限値の０ルクスに決定する。
【０１５８】
なお、ステップＳ３４〜ステップＳ３６の処理は、図７に示すステップＳ９〜ステップＳ１１の処理と同じであるので、説明を省略する。
【０１５９】
なお、本実施の形態１及び本実施の形態２において、現在時刻が第１ユーザの起床予定時刻になった場合、第１携帯端末３は、第１ユーザの起床時の照度の好みの入力を受け付けてもよい。
【０１６０】
図１４は、本開示の実施の形態１及び実施の形態２の第１携帯端末において、第１ユーザの起床時の照度の好みの入力を受け付けるための照度入力画面の一例を示す図である。なお、図１４において、パパは第１ユーザの呼称であり、ママは第２ユーザの呼称である。
【０１６１】
現在時刻が第１ユーザの起床予定時刻になった場合、第１携帯端末３は、照度入力画面を表示する。図１４に示す照度入力画面では、第２ユーザの睡眠状態に対応する到達照度設定範囲のうちの第１ユーザの起床予定時刻における到達照度を示すつまみ画像３０１が表示される。第１ユーザは、起床時の照明装置６の照度の好みに応じてつまみ画像３０１を移動させることにより、到達照度設定範囲の下限値と上限値との間で到達照度を好みの照度に調節することができる。
【０１６２】
この場合、通信部５１は、制御パターン調整部１０３によって調整された制御パターンの到達照度の下限値及び上限値と、到達照度とを第１携帯端末３へ送信する。現在時刻が第１ユーザの起床予定時刻になった場合、第１携帯端末３は、受信した到達照度の下限値及び上限値と、到達照度とを用いて生成した照度入力画面を表示する。そして、第１ユーザにより到達照度が変更された場合、第１携帯端末３は、変更後の到達照度をサーバ装置５へ送信する。通信部５１は、受信した変更後の到達照度を、第２ユーザの睡眠状態及び変更前の到達照度が決定された際の所定の条件とともに到達照度範囲記憶部１１３に記憶する。変更後の到達照度が第１ユーザの好みに相当する。
【０１６３】
制御パターン調整部１０３は、第１ユーザ及び第２ユーザの少なくとも一方の好みを取得してもよい。制御パターン調整部１０３は、取得した好みに基づいて、到達照度設定範囲（出力設定範囲）内で刺激制御パターンの到達照度（出力）を調整してもよい。
【０１６４】
このように、ユーザは起床時の照度の好みを入力することができ、到達照度の上限値と下限値との範囲内において、ユーザの好みに応じて到達照度を微調整することができる。
【０１６５】
なお、本開示の実施の形態１及び実施の形態２においては、照明装置６は、第１ユーザの起床のために刺激を制御しているが、本開示は特にこれに限定されず、第１ユーザの入眠のために刺激を制御してもよい。
【０１６６】
図１５は、本開示の実施の形態１及び実施の形態２の変形例において、後から入眠する第１ユーザに与える刺激を制御するための刺激制御パターンの一例を示す図である。図１５において、縦軸は照度を示し、横軸は時間を示す。図１５において、破線は、就寝者が一人の場合における一般的な基準の刺激制御パターンを示す。基準の刺激制御パターンでは、入室時刻から就寝予定時刻まで最大照度から徐々に照度を下げ、就寝予定時刻から所定時間後（例えば、１０分後）の第１時刻まで急激に照度を下げ、第１時刻から所定時間後（例えば、２０分後）の第２時刻まで徐々に照度を下げ、第２時刻になると消灯させるような制御が行われる。これにより、ユーザに対して光刺激による快適な入眠を促す。
【０１６７】
なお、就寝予定時刻は、第１ユーザによって第１携帯端末３により入力される。また、寝室の外のドア近傍には、寝室に入るユーザを特定するためのカメラが配置されている。サーバ装置は、カメラによって撮影された画像を解析することにより、第１ユーザ及び第２ユーザの就寝する順番を特定するとともに、後から就寝する第１ユーザの入室時刻を特定することができる。
【０１６８】
制御パターン調整部１０３は、開始照度範囲記憶部が記憶するテーブルを参照し、先に就寝した第２ユーザの睡眠状態に応じて刺激制御パターンの開始照度の開始照度設定範囲を決定し、決定した開始照度設定範囲内で開始照度を決定する。
【０１６９】
開始照度範囲記憶部は、先に就寝した第２ユーザの睡眠状態と、後から就寝する第１ユーザの入室時刻に開始すべき開始照度の上限値Ｕ１及び下限値Ｌ１を示す到達照度設定範囲とを対応付けたテーブルを照明装置の機種毎に記憶する。本変形例における照明装置６は主寝室に１台のみ配置されている。
【０１７０】
深い睡眠状態には、通常レベルより暗い値（例えば８００ルクス）である上限値Ｕ１と、常夜灯レベルより明るい値（例えば３０ルクス）である下限値Ｌ１とが対応付けられている。なお、通常レベルは、照明装置６の最大照度であり、例えば１０００ルクスである。常夜灯レベルは、例えば１０ルクスである。上限値Ｕ１は、例えば、通常レベルの８０％の値である。
【０１７１】
また、浅い睡眠状態には、常夜灯レベルの値（例えば１０ルクス）が対応付けられている。
【０１７２】
なお、開始照度の上限値及び下限値は、入眠時における照明制御の知見から得られる所定の値でもよい。また、開始照度は、第１ユーザの好みに応じて更新されてもよい。
【０１７３】
図１５において、実線は、第２ユーザの睡眠状態が深い睡眠状態である場合の刺激制御パターンを示し、一点鎖線は、第２ユーザの睡眠状態が浅い睡眠状態である場合の刺激制御パターンを示している。開始照度の上限値Ｕ１と下限値Ｌ１との間の範囲が、開始照度設定範囲Ｒ３である。
【０１７４】
図１５に示すように、第２ユーザの睡眠状態が深い睡眠状態である場合の刺激制御パターンの開始照度は、基準の刺激制御パターンの開始照度より小さくなっている。また、第２ユーザの睡眠状態が浅い睡眠状態である場合の刺激制御パターンの開始照度は、第２ユーザの睡眠状態が深い睡眠状態である場合の刺激制御パターンの開始照度より小さくなっている。
【０１７５】
このように、第１ユーザと第２ユーザとが同じ空間で就寝する場合に、先に就寝している第２ユーザの睡眠を妨害することなく、後から就寝する第１ユーザに快適な入眠を促すことができる。
【０１７６】
また、制御パターン調整部１０３は、第１ユーザ及び第２ユーザが就寝する寝室の環境に基づき、刺激制御パターンを調整してもよい。例えば、朝日が寝室内に差し込むことにより、寝室内の照度は変化する。そこで、制御パターン調整部１０３は、第１ユーザ及び第２ユーザが就寝する寝室内の照度に基づいて、刺激制御パターンを調整してもよい。機器制御システムは、寝室内に配置され、照度を測定する照度センサをさらに備えてもよい。そして、制御パターン調整部１０３は、起床予定時刻が日の出時刻より遅い場合、照度を急激に立ち上げるタイミングを遅らせ、短時間で照度を上げるように刺激制御パターンを調整してもよい。また、照明装置６は、照度センサにより測定された現在の照度を継続して取得してもよい。照明装置６は、照度センサにより測定された現在の照度が刺激制御パターンで示される現在時刻の照度よりも高い場合、照明装置６による照明を行わず、照度センサにより測定された現在の照度が刺激制御パターンで示される現在時刻の照度以下である場合、照明装置６による照明を行ってもよい。
【０１７７】
さらに、本開示の実施の形態１及び実施の形態２では、空間を照明する照明装置６の制御について説明したが、本開示はこれに限定されず、空間に音を出力する音出力装置、空間に芳香剤を散布する芳香散布装置又は空間に風を出力する風出力装置の制御にも適用可能である。
【０１７８】
例えば、音出力装置の制御では、制御パターン調整部１０３は、第２ユーザの睡眠状態が深い睡眠状態である場合の起床予定時刻の到達音量レベルを、通常レベルより小さくするとともに、第２ユーザの睡眠状態が浅い睡眠状態である場合の起床予定時刻の到達音量レベルよりも大きくなるように設定する。また、芳香散布装置の制御では、制御パターン調整部１０３は、第２ユーザの睡眠状態が深い睡眠状態である場合の起床予定時刻の到達香りレベルを、通常レベルより弱くするとともに、第２ユーザの睡眠状態が浅い睡眠状態である場合の起床予定時刻の到達香りレベルよりも強くなるように設定する。また、風出力装置の制御では、制御パターン調整部１０３は、第２ユーザの睡眠状態が深い睡眠状態である場合の起床予定時刻の到達風量レベルを、通常レベルより小さくするとともに、第２ユーザの睡眠状態が浅い睡眠状態である場合の起床予定時刻の到達風量レベルよりも大きくなるように設定する。また、照明装置以外のこれらの装置の場合も、刺激制御パターンの起床予定時刻における出力は、第１ユーザの起床予定時刻と第２ユーザの起床予定時刻との差、第２ユーザの体動量、又は第１ユーザ又は第２ユーザによって入力された好みにより調整されてもよい。
【０１７９】
これにより、第１ユーザと第２ユーザとが同じ空間で就寝する場合に、第２ユーザの睡眠を妨害することなく、第１ユーザに快適な入眠又は起床を促すことができる。また、第２ユーザにとっても、後から入眠する第１ユーザ又は先に起床する第１ユーザに睡眠が妨害されることなく、起床予定時刻まで安定して睡眠することができ、第２ユーザにも快適な入眠又は起床を促すことができる。
【０１８０】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１８１】
本開示の実施の形態に係る装置の機能の一部又は全ては典型的には集積回路であるＬＳＩ（Ｌａｒｇｅ  Ｓｃａｌｅ  Ｉｎｔｅｇｒａｔｉｏｎ）として実現される。これらは個別に１チップ化されてもよいし、一部又は全てを含むように１チップ化されてもよい。また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【０１８２】
また、本開示の実施の形態に係る装置の機能の一部又は全てを、ＣＰＵ等のプロセッサがプログラムを実行することにより実現してもよい。
【０１８３】
また、上記で用いた数字は、全て本開示を具体的に説明するために例示するものであり、本開示は例示された数字に制限されない。
【０１８４】
また、上記フローチャートに示す各ステップが実行される順序は、本開示を具体的に説明するために例示するためのものであり、同様の効果が得られる範囲で上記以外の順序であってもよい。また、上記ステップの一部が、他のステップと同時（並列）に実行されてもよい。
【産業上の利用可能性】
【０１８５】
本開示にかかる情報処理方法、情報処理プログラム及び情報処理システムは、第１ユーザと第２ユーザとが同じ空間で就寝する場合に、第２ユーザの睡眠を妨害することなく、第１ユーザに快適な入眠又は起床を促すことができるので、第１ユーザ及び第２ユーザの入眠又は起床のために刺激を制御する１つ以上の装置の動作を制御する情報処理方法、情報処理プログラム及び情報処理システムとして有用である。
【符号の説明】
【０１８６】
１    第１センサ
２    第２センサ
３    第１携帯端末
４    第２携帯端末
５，５Ａ    サーバ装置
６    照明装置
７    ネットワーク
５１，５１Ａ    通信部
５２，５２Ａ    プロセッサ
５３，５３Ａ    メモリ
１０１    制御パターン取得部
１０２    睡眠状態判定部
１０３    制御パターン調整部
１０４    機器制御部
１１１    制御パターン記憶部
１１２    起床予定時刻記憶部
１１３    到達照度範囲記憶部
１１４    優先度記憶部
【図１】
2020116304.tif 000003
【図２】
2020116304.tif 000004
【図３】
2020116304.tif 000005
【図４】
2020116304.tif 000006
【図５】
2020116304.tif 000007
【図６】
2020116304.tif 000008
【図７】
2020116304.tif 000009
【図８】
2020116304.tif 000010
【図９】
2020116304.tif 000011
【図１０】
2020116304.tif 000012
【図１１】
2020116304.tif 000013
【図１２】
2020116304.tif 000014
【図１３】
2020116304.tif 000015
【図１４】
2020116304.tif 000016
【図１５】
2020116304.tif 000017